(57)【特許請求の範囲】
【請求項１】
金庫収容部に対して所定の着脱経路に沿って進退移動することにより装着、及び離脱し、且つ装着状態にある時に搬送されてきた金銭を内部に収容する金庫本体が前記金庫収容部から離脱された後で、収容した金銭を回収しない状態で前記金庫本体が前記金庫収容部に再装着されることを阻止する金庫の再装着阻止装置であって、
前記金庫収容部に挿入された前記金庫本体を離脱方向へ弾性付勢する弾性押圧部材と、
前記金庫収容部に配置された被係止部材と、
前記金庫本体に配置されて、前記被係止部材を係止することにより前記弾性押圧部材の弾性付勢力に抗して前記金庫本体を装着状態に維持する係止部を有したロック部材と、
外部からの操作により係止姿勢にある前記ロック部材を係止解除姿勢に変位させる係止解除部材と、
前記係止解除部材の動作により変位した前記ロック部材を係止解除姿勢に保持する保持部材と、を備え、
前記ロック部材は、前記被係止部材を係止する係止姿勢と、係止を解除した係止解除姿勢との間で変位可能に支持され、前記係止姿勢のときは前記係止部が前記金庫本体に形成された連通穴から突出し、前記係止解除姿勢のときは前記係止部が前記連通穴に没入して前記金庫本体内に退避することを特徴とする金庫の再装着阻止装置。
【請求項２】
前記ロック部材は、磁性体からなる被保持部を有し、
前記保持部材は、前記被保持部を磁力により吸着保持する磁石であることを特徴とする請求項１に記載の金庫の再装着阻止装置。
【請求項３】
金銭回収時に前記金庫本体の金銭収容部を開放する蓋体を備え、
前記保持部材と前記ロック部材の一方は前記蓋体に支持され、他方は前記蓋体を除く前記金庫本体の適所に支持されていることを特徴とする請求項２に記載の金庫の再装着阻止装置。
【発明の詳細な説明】
【技術分野】
【０００１】
本発明は金庫の再装着阻止装置に関し、特に金庫収容部より金庫を離脱させた後は、金庫の蓋体を開放して内部の金銭を回収しない限り金庫を金庫収容部に再装着不能とする金庫の再装着阻止装置に関する。
【背景技術】
【０００２】
各種の紙幣や硬貨を取り扱う自動販売機や券売機等に内蔵される金銭取扱装置は、紙幣や硬貨を収容する金庫を備えている。金庫は、装置本体の筐体内に設けた金庫収容部内に着脱可能に装着され、金庫収容部への装着時には装置本体から搬送されてくる金銭を収容する。
金庫が満杯となったとき、又は回収時期が到来したときには、金庫を金庫収容部より取り外して金庫内の金銭を回収する。金銭の回収作業においては、回収者が金庫を金庫収容部の外部に引き出してから、金庫に設けた蓋体を開放して内部の金銭を取り出すと共に、金銭回収後の金庫を再度金庫収容部内に装着する。
実際には、金銭回収による金銭取扱装置の稼働停止を短時間で済ませるため、予め空の金庫を用意しておき、金庫収容部より取り外した金庫と交換し、金銭取扱装置の稼働を速やかに再開する一方、取り外した金庫から金銭回収する作業をセキュリテイ管理された安全な場所で行うという運用が広く行われている。例えば、駅の券売機などのように複数の金銭取扱装置が設置されている場合、予め複数の空の金庫を準備して、順番に金庫収容部より取り外した金庫と空の金庫とを交換することになる。しかし、回収者が金庫の交換を繰り返すうちに、本来は空の金庫を装着すべきところ、紙幣が収容された状態の金庫を間違えて金庫収容部に誤装着するという作業ミスが生じることがある。
【０００３】
上記誤装着を防止するため特許文献１には、金庫収容部側に設けられて金庫の装着時に金庫の後壁に設けた挿入穴から金庫内に挿入される作動ピンと、金庫側に設けられて金庫の装着時に作動ピンによって押圧されて回動する回動レバーと、回動レバーの回動を規制する下降姿勢と規制を解除する上昇姿勢との間を昇降可能な昇降作動板と、蓋体が開放したときに昇降作動板を下降位置から上昇位置に移動させるレバー部材と、を備えた再装着阻止装置が記載されている。昇降作動板はスプリングによって下降姿勢に弾性付勢されるが、金庫の装着許容時には下降しないようにロックされる。
上記再装着阻止装置の動作は以下の通りである。金庫の装着時に作動ピンが挿入穴内に進入すると回動レバーが回動して金庫が金庫収容部に装着される。このとき、昇降作動板の下降を阻止するロックが解除される。金庫の離脱時には、作動ピンが引き抜かれる結果、回動レバーが初期姿勢に戻って昇降作動板が下降姿勢に変位するので、その後は金庫の再装着が阻止される。内部の金銭を回収するべく蓋体を開放すると、レバー部材の動作によって昇降作動板が下降姿勢から上昇姿勢へと移動し、上昇した昇降作動板が下降しないようにロックされる。この状態では、作動ピンの押圧による回動レバーの回動が許容されるので、金庫の再装着が可能となる。
【先行技術文献】
【特許文献】
【０００４】
【特許文献１】特開平４−２７８９６５号公報
【発明の概要】
【発明が解決しようとする課題】
【０００５】
特許文献１に記載の再装着阻止装置において、昇降作動板が下降姿勢に変位した再装着阻止時に金庫を再装着しようとすると、作動ピンが回動レバーに対して回動力を作用させようとするが、回動レバーは昇降作動板に衝突して回動することができない。このように、各部材の衝突によって金庫の装着を物理的に阻止する場合、挿入時に金庫に加えられる押し込み力によっては各部材に過大な力が作用し、最悪の場合には部材が破損するという問題がある。
本発明は上述の事情に鑑みてなされたものであり、金庫の装着阻止時に各部材に過大な力が作用することを防止できる金庫の再装着阻止装置を提供することを目的とする。
【課題を解決するための手段】
【０００６】
上記の課題を解決するために、請求項１に記載の発明は、金庫収容部に対して所定の着脱経路に沿って進退移動することにより装着、及び離脱し、且つ装着状態にある時に搬送されてきた金銭を内部に収容する金庫本体が前記金庫収容部から離脱された後で、収容した金銭を回収しない状態で前記金庫本体が前記金庫収容部に再装着されることを阻止する金庫の再装着阻止装置であって、前記金庫収容部に挿入された前記金庫本体を離脱方向へ弾性付勢する弾性押圧部材と、前記金庫収容部に配置された被係止部材と、前記金庫本体に配置されて、前記被係止部材を係止することにより前記弾性押圧部材の弾性付勢力に抗して前記金庫本体を装着状態に維持する係止部を有したロック部材と、を備えたことを特徴とする。
【０００７】
請求項２に記載の発明は、前記ロック部材は、前記被係止部材を係止する係止姿勢と、係止を解除した係止解除姿勢との間で変位可能に支持されており、外部からの操作により係止姿勢にある前記ロック部材を係止解除姿勢に変位させる係止解除部材と、前記係止解除部材の動作により変位した前記ロック部材を係止解除姿勢に保持する保持部材と、を備えたことを特徴とする。
【０００８】
請求項３に記載の発明は、金銭回収時に前記金庫本体の金銭収容部を開閉する蓋体を備え、前記保持部材と前記ロック部材の一方は前記蓋体に支持され、他方は前記蓋体を除く前記金庫本体の適所に支持されていることを特徴とする。
【発明の効果】
【０００９】
本発明によれば、弾性押圧部材が金庫本体を離脱方向へ弾性付勢することにより再装着を阻止するので、金庫の装着阻止時に各部材に過大な力が作用することを防止し、部材の破損を防止できる。
【図面の簡単な説明】
【００１０】
【図１】（ａ）〜（ｃ）は、本発明の一実施形態に係る金庫の再装着阻止装置を示す図であり、（ａ）は正面図であり、（ｂ）は一部透視上面図であり、（ｃ）は一部透視側面図である。
【図２】本発明の一実施形態に係る金庫本体の上面を透視して示した斜視図である。
【図３】錠のカム部材の動作とロックレバーの動作との関係を示す模式図であり、（ａ）はカム部材が離間姿勢にある状態を示し、（ｂ）はカム部材が押圧姿勢にある状態を示す図である。
【図４】（ａ）〜（ｄ）は、金庫本体を金庫収容部に装着する様子を段階的に示した模式的平面図である。
【図５】（ａ）〜（ｄ）は、金庫本体を金庫収容部から離脱させる様子を段階的に示した模式的平面図である。
【図６】（ａ）〜（ｃ）は、金庫本体の再装着が阻止される様子を段階的に示した模式的平面図である。
【発明を実施するための形態】
【００１１】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１２】
図１（ａ）〜（ｃ）は、本発明の一実施形態に係る金庫の再装着阻止装置を示す図であり、（ａ）は正面図であり、（ｂ）は一部透視上面図であり、（ｃ）は一部透視側面図である。図２は、本発明の一実施形態に係る金庫本体の上面を透視して示した斜視図である。図１、及び図２には、金庫本体が金庫収容部に装着された状態を示している。
金庫の再装着阻止装置１は、金庫本体３０が一旦は金庫収容部１０から離脱された後で、収容した金銭を回収しない状態で、金庫収容部１０に再装着されることを阻止する装置である。本実施形態に係る金庫の再装着阻止装置１は、金庫収容部１０に挿入された金庫本体３０を離脱する方向（矢印Ａ２方向）に押圧する弾性押圧部材１１を備え、金庫本体３０内の金銭を回収しない状態では、金庫本体３０を金庫収容部１０に装着状態に維持することができないように（再装着不能に）した点に特徴がある。
【００１３】
金庫収容部１０は、自動販売機や券売機等に内蔵される金銭取扱装置の装置本体内に設けられた金庫の収容空間であり、内部に金庫本体３０を着脱自在に収容する。
金庫本体３０は、金庫収容部１０に対して所定の着脱経路Ａ１−Ａ２に沿って進退移動することにより、装着、及び離脱が可能となっている。金庫本体３０は、図１に示すように金庫収容部１０に装着された装着状態にあるときに金銭取扱装置の装置本体から搬送されてきた金銭を内部に収容、蓄積する。なお、金庫本体３０は、還流式の金庫でもよいし、非還流式の金庫でもよい。
金庫本体３０内に蓄積された金銭を回収する際には、図５に示すように、一旦、金庫本体３０を金庫収容部１０から取り出した上で、金庫本体３０に設けた蓋体３５を開放して金銭収容部３１に収容された金銭を取り出す必要がある。また、金銭回収後の金庫本体３０は、図４に示すように、金庫収容部１０に再装着されることで、次に金銭を回収する作業が実施されるまで装置本体から搬送されてきた金銭を内部に収容、蓄積する。
【００１４】
〔再装着阻止装置〕
本発明の一実施形態に係る金庫の再装着阻止装置について説明する。
再装着阻止装置１は、金庫収容部１０の内部に配置される部材として、金庫収容部１０に挿入された金庫本体３０を離脱方向（矢印Ａ２方向）へ弾性付勢する弾性押圧部材１１と、弾性押圧部材１１の弾性付勢力に抗して金庫本体３０を装着状態に維持するためのロック軸１３（被係止部材）とを備える。
また、再装着阻止装置１は、金庫本体３０側に設けられる構成として、金庫本体３０の一側面に形成されて金庫本体３０の内外を連通させる連通穴４１と、金庫本体３０の内部に配置されて、連通穴４１を介して外部に突出することによりロック軸１３を係止する係止部５３を有したロックレバー５１（ロック部材）と、を備える。
金庫本体３０が金庫収容部１０に装着されたときに係止部５３がロック軸１３を係止することにより、金庫本体３０を弾性押圧部材１１の弾性付勢力に抗して図１に示す装着状態に維持することができる。しかし、係止部５３がロック軸１３を係止できない場合には、図６（ｃ）に示すように、金庫収容部１０に挿入された金庫本体３０が弾性押圧部材１１の弾性付勢力により離脱方向（矢印Ａ２方向）に押圧されるので、金庫本体３０を装着状態に維持することができず、金庫本体３０の再装着が阻止される構成である。
【００１５】
＜金庫収容部側の構成＞
再装着阻止装置１を構成する部材のうち、金庫収容部１０側に配置される弾性押圧部材１１とロック軸１３について説明する。
本例に示す弾性押圧部材１１は、金庫収容部１０の最奥部である内奥壁面１２に配置された弾性体であるコイルバネから構成される。弾性押圧部材１１は、金庫収容部１０に挿入された金庫本体３０の奥側側面３０ａを金庫本体３０の離脱方向（図中矢印Ａ２方向）に押圧する。
弾性押圧部材１１は、金庫本体３０を離脱方向に押圧することができれば、弾性押圧部材を構成する弾性体の種類、形状、配置箇所、及び弾性押圧部材によって押圧される被押圧部の位置は比較的自由に設定することができる。例えば、弾性押圧部材１１を板バネから構成してもよい。或いは、弾性押圧部材によって押圧される被押圧部を、金庫本体３０の挿入方向に伸びる側面から突出形成してもよい。また、弾性押圧部材１１を金庫本体３０側に配置してもよい。
【００１６】
ロック軸１３は、金庫本体３０の挿入方向の中間部であって、金庫本体３０の挿入、離脱方向に伸びる金庫収容部１０の内壁に近接して配置されている。ロック軸１３は、金庫収容部１０の内部において上下方向に伸びる棒状の部材であり、一端を金庫収容部１０の下面に固定され、他端を金庫収容部の上面に固定されている。ロック軸１３は、金庫本体３０側に設けたロックレバー５１の係止部５３によって係止されたときに、係止部５３を介して伝達される弾性押圧部材１１の弾性付勢力によっても容易には変形しない程度の剛性を有して形成される。なお、図示する被係止部材としてのロック軸１３は一例を示したものであり、係止部５３によって係止可能であれば、その配置及び形状は自由に設定することができる。
【００１７】
＜筐体／蓋体＞
金庫本体３０について説明する。金庫本体３０は、内部に金銭を収容する金銭収容部３１を備えた筐体３３と、筐体３３の一側面に配置されて、金銭回収時に金庫本体３０の金銭収容部３１を開放する蓋体３５と、を備える。
筐体３３は概略直方体形状であり、蓋体３５は金庫本体３０を金庫収容部１０に装着したときにロック軸１３と対向する側面に形成されている。蓋体３５は、奥側に設けた開閉軸３７により筐体３３によって回動自在（開閉自在）に軸支されている（図５（ｄ）矢印Ｄ参照）。
金庫本体３０の金庫収容部１０への挿入時にロック軸１３と対向する部位には、ロック軸１３との干渉を防止するように退避した退避部３９が形成されている。退避部３９は金庫本体３０の奥側部分に形成されており、金庫本体３０の幅は、奥が狭く、手前側が広くなるように形成されている。金庫本体３０の正面壁３０ｂは、金庫収容部１０の前面開口と略同等の形状及び大きさである。図１（ａ）に示すように、金庫本体３０を金庫収容部１０へ装着した場合に、金庫収容部１０の前面開口１０ａは金庫本体３０の正面壁３０ｂによって全面が略閉鎖される。従って、金庫本体３０が金庫収容部１０へ装着された場合にロック軸１３と係止部５３は外部に露出せず、直接の操作が不能となるため、金庫本体３０を金庫収容部１０から不正に取り出す等のいたずらを防止できる。
【００１８】
金庫本体３０の内外を連通させる連通穴４１は、蓋体３５の退避部３９内に貫通形成されている。連通穴４１は、金庫本体３０を金庫収容部１０に装着したときにロック軸１３と近接する位置に形成されている。連通穴４１はロックレバー５１の係止部５３を出没させる。
連通穴４１に近接した蓋体３５の手前側の内側面には、ロックレバー５１を回動自在（揺動自在）に軸支持する支持部４３が突出形成されている。
【００１９】
＜ロックレバー＞
ロックレバー５１は、蓋体３５に設けた支持部４３により、係止部５３が連通穴４１から突出してロック軸１３を係止する係止姿勢と、係止部５３が連通穴４１内に退避して係止を解除した係止解除姿勢との間で変位可能に支持されている。
本例に示すロックレバー５１は、支持部４３により中間部に設けた回動軸５５を回動（揺動）可能に支持されており、一端部（奥側端部）に、ロックレバー５１の揺動に伴って連通穴４１から出没する爪状の係止部５３を備えている。ロックレバー５１は、係止部５３が連通穴４１から突出してロック軸１３を係止する係止姿勢と、係止部５３が連通穴４１内に没入してロック軸１３の通過を許容し又はロック軸１３の係止を解除する係止解除姿勢との間で、回動軸５５を中心として図中矢印Ｂ１−Ｂ２方向に回動（揺動）する。ロックレバー５１は、回動軸５５に挿通されたトーションバネ等の弾性付勢部材によって、係止部５３を突出させる方向（図中矢印Ｂ１方向）に弾性付勢されている。
係止部５３は、連通穴４１からの突出量が金庫本体３０の奥側から手前側に向かって漸増する傾斜面部５３ａを有している。図４（ｃ）に示すように、金庫本体３０の金庫収容部１０への挿入時に係止部５３の傾斜面部５３ａがロック軸１３と接触することによって、ロックレバー５１は弾性付勢部材の弾性付勢力に抗して図中矢印Ｂ２方向に回動し、係止部５３が徐々に連通穴４１内に没入してロック軸１３の通過を許容する。
また、金庫本体３０が図１に示す金庫収容部１０の装着位置に到達した場合、即ち、ロック軸１３が係止部５３よりも手前側に位置した場合に係止部５３は、連通穴４１から再度突出してロック軸１３を係止する。係止部５３は、ロック軸１３を係止した場合には、弾性押圧部材１１の弾性付勢力に抗して金庫本体３０を装着された状態（装着位置）に維持する。
【００２０】
ロックレバー５１は、回動軸５５よりも他端部側（手前側）であって、係止部５３の没入時に回動方向の上流側となる部位に被押圧部５７を備えている。被押圧部５７を押圧することによっても、ロックレバー５１を図中矢印Ｂ２方向に回動させて、係止部５３を連通穴４１内に没入させることができる。
また、ロックレバー５１は、回動軸５５よりも一端部側（奥側）であって、係止部５３の没入時に回動方向下流側となる部位に被保持部５９を備えている。本例において被保持部５９は磁性体から構成されており、被保持部５９が磁石８１に吸着されることにより、ロックレバー５１は没入状態に維持される。
【００２１】
＜錠＞
金庫本体３０は、正面壁３０ｂに鍵穴７３を有する錠７１を備えている。錠７１は、金庫収容部１０へ装着された金庫本体３０を金庫収容部１０から取り出す際に操作される。錠７１はいわゆるシリンダ錠であり、正面壁３０ｂに開口する鍵穴７３を介して外部から挿入された鍵により回動するカム部材７５（係止解除部材）を金庫本体３０の内部に備えている。
図３は、錠のカム部材の動作とロックレバーの動作との関係を示す模式図であり、（ａ）はカム部材が離間姿勢にある状態を示し、（ｂ）はカム部材が押圧姿勢にある状態を示す図である。
カム部材７５は、ロックレバー５１から離間した離間姿勢と、ロックレバー５１を押圧する押圧姿勢との間で回動によりその姿勢を変位させる。カム部材７５は通常は離間姿勢にあってロックレバー５１の係止姿勢と係止解除姿勢との間の自由な姿勢変位を許容する。カム部材７５が離間姿勢から押圧姿勢へ矢印Ｃ方向に回動したときには、係止姿勢にあるロックレバー５１の被押圧部５７を押圧して、回動軸５５に設けた弾性付勢部材の弾性付勢力に抗してロックレバー５１を図中矢印Ｂ２方向に回動させて、係止解除姿勢に変位させる。
なお、錠７１は金庫本体３０を金庫収容部１０から離脱させる専用に設けられており、蓋体３５を開放するための錠とは別個のものである。即ち、錠７１及びこれを操作する鍵は蓋体３５が閉止状態にあるときに、外部からの操作によりロックレバー５１を係止解除姿勢に変位させる手段である。
【００２２】
＜保持部材＞
金庫本体３０は、カム部材７５の動作により係止解除姿勢に変位した被保持部材としてのロックレバー５１を再係止不能な状態（再係止不能姿勢）に保持する磁石８１（保持部材）を備えている。磁石８１は、蓋体３５を除く金庫本体３０の内部適所に設けた支持部材８３によって固定的に支持されている。
磁石８１はロックレバー５１の被保持部５９の移動軌跡上に配置されており、磁性体からなる被保持部５９を磁力により吸着、保持して、ロックレバー５１を係止解除姿勢に維持し、係止姿勢への変位を阻止する。
ここで、ロックレバー５１がロック軸１３と当接して回動する場合には、ロックレバー５１の回動量（回動角度）は比較的小さく、被保持部５９は磁石８１により吸着可能な位置にまで接近しない。従って、ロックレバー５１は、ロック軸１３との当接により係止部５３が連通穴４１内に退避して一時的に係止解除姿勢をとるが、ロック軸１３との当接が解除されれば係止姿勢に戻ることができる。
その一方で、カム部材７５の動作により係止解除姿勢に変位する場合のロックレバー５１の回動量（回動角度）は比較的大きく、被保持部５９は磁石８１に当接（又は吸着可能な位置まで接近）して吸着保持される。この場合、ロックレバー５１を係止姿勢に戻すためには、蓋体３５を開放して、被保持部５９を磁石８１から引き離す必要がある。
【００２３】
＜装着動作＞
金庫本体の装着時の動作について図４に基づいて説明する。図４は、金庫本体を金庫収容部に装着する様子を段階的に示した模式的平面図である。
まず、ロックレバー５１が磁石８１によって吸着保持されておらず、係止姿勢にあることを前提とする。
図４（ａ）に示すように、金庫本体３０を金庫収容部１０に対して前面開口１０ａから矢印Ａ１方向に挿入する。蓋体３５に退避部３９を設けることによって、ロック軸１３と金庫本体３０は干渉せず、金庫本体３０は金庫収容部１０内へと挿入される。
図４（ｂ）、（ｃ）に示すように、係止部５３の傾斜面部５３ａがロック軸１３に接触すると、係止部５３はロック軸１３によって押圧されて、連通穴４１内に没入して一時的に係止解除姿勢に変位する。また、係止部５３が没入することによって、金庫本体３０の金庫収容部１０への更なる挿入が許容される。
図４（ｄ）に示すように、弾性押圧部材１１の弾性付勢力に抗して金庫本体３０が金庫収容部１０の装着位置へ到達すると、一時的に没入した係止部５３が、弾性付勢部材の弾性付勢力によって連通穴４１から突出してロック軸１３を係止する。このとき、弾性押圧部材１１は、金庫本体３０を離脱方向（矢印Ａ２方向）へ弾性付勢するが、係止部５３がロック軸１３を係止することによって、金庫本体３０は、装着状態に維持される。
このように、予めロックレバー５１の係止部５３が外部に突出した係止姿勢にあるときには、金庫本体３０の金庫収容部１０への装着が許容される。
【００２４】
＜離脱動作＞
金庫本体の離脱時の動作について図５に基づいて説明する。図５は、金庫本体を金庫収容部から離脱させる様子を段階的に示した模式的平面図である。
図５（ａ）のように、金庫本体３０が金庫収容部１０へ装着された状態にあるときに、外部から鍵穴７３（図３参照）へ鍵を挿入して、カム部材７５を離間姿勢から図５（ｂ）に示す押圧姿勢に変位させる。カム部材７５が押圧姿勢に変位することにより、ロックレバー５１の係止部５３は連通穴４１内に没入した係止解除姿勢となり、係止部５３によるロック軸１３の係止が解除される。このときのロックレバー５１の回動量は金庫本体３０の装着時（図４（ｃ）参照）における回動量よりも多く、ロックレバー５１の被保持部５９は回動方向の下流側に位置する磁石８１によって吸着される。
図５（ｃ）に示すように、被保持部５９が磁石８１によって吸着されることにより、ロックレバー５１は、係止解除姿勢に保持される。また、係止部５３によるロック軸１３の係止が解除されているので、金庫本体３０を金庫収容部１０から離脱させることができるが、金庫本体３０は弾性押圧部材１１の弾性付勢力により離脱方向（矢印Ａ２方向）に押圧されて、金庫本体３０の前部が金庫収容部１０から外部に突出する。
図５（ｄ）は、金庫本体３０を金庫収容部１０から取り出して蓋体３５を矢印Ｄ方向に開放した様子を示している。ロックレバー５１は蓋体３５の支持部４３によって支持されており、磁石８１は蓋体３５以外の金庫本体３０の適所に固定的に支持されているため、蓋体３５を開放することによって、ロックレバー５１は磁石８１から強制的に引き離される。その結果、ロックレバー５１は回動軸５５に設けた弾性付勢部材の弾性付勢力により係止姿勢に復帰する。金庫本体３０の離脱後に、金銭収容部３１に収容した金銭を回収するべく蓋体３５を開放した後は、金庫本体３０は金庫収容部１０に再装着可能となる。
【００２５】
＜再装着阻止動作＞
金庫本体の再装着阻止時の動作について図６に基づいて説明する。図６は、金庫本体の再装着が阻止される様子を段階的に示した模式的平面図である。
図６（ａ）に示すように、ロックレバー５１が磁石８１に吸着保持されている場合には、金庫本体３０を図６（ｂ）に示す装着位置に挿入可能である。しかし、係止部５３は連通穴４１から突出しないので、ロック軸１３は係止されない。
このため、図６（ｃ）に示すように、金庫本体３０は弾性押圧部材１１の弾性付勢力によって離脱方向（矢印Ａ２方向）に押圧され、金庫本体３０を装着位置に維持することができない。その結果、作業員は金庫本体３０が装着不能であることがわかる。
【００２６】
＜効果＞
従来のように、金庫本体を金庫収容部に装着するときに金庫本体側の部品と金庫収容部側の部品とが衝突して、金庫本体の装着位置への移動を物理的に阻止するように構成した場合、挿入時に金庫に加えられる押し込み力によっては、各部材に過大な力が作用し、最悪の場合には金庫本体、及び／又は、金庫収容部側の部品を破損する虞がある。
本実施形態においては、金庫本体３０を金庫収容部１０へ装着可能な場合も、金庫本体３０の装着が阻止される場合も、金庫本体３０を装着位置へ移動させること自体は可能である。何れの場合も、金庫収容部１０側に設けた弾性押圧部材１１は、金庫本体３０の奥側側面３０ａと接触して金庫本体３０を離脱方向に押し返す力を作用させるが、各部材に対して破損に至るような過大な力は作用しない。
従って、本実施形態に係る金庫本体の再装着阻止装置によれば、金庫本体が再装着を阻止される場合であっても、各部材に対して過大な力が作用せず、部材の破損といった事態を回避できる。
なお、係止部５３に目立つ色による着色を施して、金庫本体３０が金庫収容部１０へ装着可能であることを目視確認できるようにしてもよい。
【００２７】
本実施形態において、ロックレバー５１は、金庫本体３０が金庫収容部１０に装着された場合に自動的にロック軸１３に係止して金庫本体３０を取り出し不能とするオートロック機構を構成する。オートロック機構を備えることにより、金庫本体３０を装着位置に固定するための錠を個別に設ける必要がないため、金庫の回収作業時の負担を軽減することが可能である。
また、ロックレバー５１は、係止位置にある場合には金庫本体３０の金庫収容部１０への装着を可能とし、磁石８１により係止解除位置に維持されている場合には金庫本体３０の金庫収容部１０への装着を阻止する再装着阻止機構を構成する。このように、ロックレバー５１をオートロック機構と再装着阻止機構とに兼用するため、部品の大幅な増加や占有スペースの増大を招くことなく、簡易な構成でオートロック機構と再装着阻止機構の双方を実現可能である。
【００２８】
本実施形態において、ロックレバー５１を係止解除姿勢に保持する手段としては、金庫収容部１０側に設けた磁石８１と、ロックレバー５１側に設けた磁性体との組み合わせ（マグネットキャッチ）を例示したが、この関係は逆にしても構わない。また、ロックレバー５１を、蓋体３５を除く金庫本体３０の内部適所によって支持し、保持部材としての磁石８１を蓋体３５によって支持する構成としてもよい。また、保持部材と被保持部材を構成する部材として、ボールキャッチ等を用いてもよい。
【００２９】
本実施形態においては、爪状の係止部５３を備えたロックレバー５１を金庫本体３０に設け、軸状の被係止部材としてロック軸１３を金庫収容部１０側に設けたが、金庫収容部１０に設ける被係止部材を爪状とし、金庫本体３０に設ける係止部を軸状としてもよいし、その他の形状としてもよい。
【００３０】
本実施形態においては、中間部に設けた回動軸５５を支持することにより、ロックレバー５１を係止姿勢と係止解除姿勢との間で回動自在（揺動自在）に支持する構成であるが、ロックレバー５１は直線的又は非直線的に進退移動することによって両姿勢の間を変位するように構成されてもよい。
本実施形態においては、錠７１が操作されたときに錠７１と一体的に構成された係止解除部材であるカム部材７５が動作してロックレバー５１を係止解除姿勢に変位させる構成である。他の実施形態としては、カム部材７５に対応する係止解除部材及び係止解除部材を作動させる操作手段と、係止解除部材の動作を許容又は禁止するロック手段としての錠とを、別個独立した部材として備える構成としてもよい。係止解除部材及び操作手段と、錠とを別個の部材から構成することにより、各部材の配置や、各部材の変位方向について、設計の自由度を高めることができる。
【００３１】
〔本発明の実施態様例と作用、効果のまとめ〕
＜第一の実施態様＞
本態様は、金庫収容部１０に対して所定の着脱経路に沿って進退移動することにより装着、及び離脱し、且つ装着状態にある時に搬送されてきた金銭を内部に収容する金庫本体３０が金庫収容部から離脱された後で、収容した金銭を回収しない状態で金庫本体が金庫収容部に再装着されることを阻止する金庫の再装着阻止装置１であって、金庫収容部に挿入された金庫本体を離脱方向へ弾性付勢する弾性押圧部材１１と、金庫収容部に配置された被係止部材（ロック軸１３）と、金庫本体に配置されて、被係止部材を係止することにより弾性押圧部材の弾性付勢力に抗して金庫本体を装着状態に維持する係止部５３を有したロック部材（ロックレバー５１）と、を備えたことを特徴とする。
【００３２】
本態様の弾性押圧部材は、金庫本体を離脱方向へ弾性付勢できればどのようなタイプの弾性体でもよく、また金庫収容部側と金庫本体側のいずれに配置してもよい。具体的には、弾性押圧部材は金庫収容部側に配置したねじりコイルバネとすることができる。
金庫収容部側の被係止部材と、金庫本体側の係止部とは対となる部材である。係止部が被係止部材を係止できれば、両者の形状や配置は自由に設定することが可能である。
【００３３】
金庫本体は、ロック部材の係止部が被係止部材を係止することによって装着状態に維持される。しかし、係止部が被係止部材を係止できない場合には、金庫本体を弾性押圧部材の弾性付勢力に抗して装着位置へ挿入したとしても、金庫本体は弾性押圧部材によって離脱方向へ押し返されてしまい、装着状態に維持できない。
本態様においては、弾性押圧部材が金庫本体を離脱方向へ弾性付勢することによって再装着を阻止するので、金庫本体側の部材と金庫収容部側の部材の双方には、破損に至るような過大な力が作用しにくい。
【００３４】
＜第二の実施態様＞
本態様において、ロック部材（ロックレバー５１）は、被係止部材（ロック軸１３）を係止する係止姿勢と、係止を解除した係止解除姿勢との間で変位可能に支持されており、金庫の再装着阻止装置１は、外部からの操作により係止姿勢にあるロック部材を係止解除姿勢に変位させる係止解除部材（カム部材７５）と、係止解除部材の動作により変位したロック部材を係止解除姿勢に保持する保持部材（磁石８１）と、を備えたことを特徴とする。
金庫収容部に装着された金庫本体を金庫収容部から取り出すためには、被係止部材を係止しているロック部材を係止解除姿勢に変位させる必要がある。本態様においては、係止解除部材の動作によりロック部材を係止解除姿勢に変位させると共に、変位したロック部材を保持部材によって係止解除姿勢に保持するため、ロック部材は被係止部材を再係止不能となる。従って、金庫収容部から取り出された金庫本体は、金庫収容部への再装着を阻止される。
【００３５】
＜第三の実施態様＞
本態様に係る金庫の再装着阻止装置１は、金銭回収時に金庫本体３０の金銭収容部３１を開放する蓋体３５を備え、保持部材（磁石８１）とロック部材（ロックレバー５１）の一方は蓋体に支持され、他方は蓋体を除く金庫本体の適所に支持されていることを特徴とする。
本態様によれば、保持部材によって保持されたロック部材は、蓋体を開放することによって保持部材から強制的に引き離される。従って、ロック部材は係止姿勢へ変位可能となり、金庫本体を金庫収容部へ再装着することが可能となる。
【符号の説明】
【００３６】
１…再装着阻止装置、１０…金庫収容部、１１…弾性押圧部材、１２…内奥壁面、１３…ロック軸（被係止部材）、３０…金庫本体、３０ａ…奥側側面、３０ｂ…正面壁、３１…金銭収容部、３３…筐体、３５…蓋体、３７…開閉軸、３９…退避部、４１…連通穴、４３…支持部、５１…ロックレバー（ロック部材）、５３…係止部、５３ａ…傾斜面部、５５…回動軸、５７…被押圧部、５９…被保持部、７１…錠、７３…鍵穴、７５…カム部材（係止解除部材）、８１…磁石（保持部材）、８３…支持部材
【図１】
0006711987.tif 000002
【図２】
0006711987.tif 000003
【図３】
0006711987.tif 000004
【図４】
0006711987.tif 000005
【図５】
0006711987.tif 000006
【図６】
0006711987.tif 000007